(57)【要約】【課題】チケット偽造を抑制しつつ、チケット発行およびチケット購入が容易且つ確実に行えるようにする。【解決手段】チケット発行管理会社３がチケット購入希望者に対して固有の個人ＩＤが記されたラベルを予め発行し、チケット購入希望者は、通信端末１１を用いてチケット発行管理会社３に所望のチケットの発行要求を行い、この要求に応じてチケット発行管理会社３はチケット購入希望者が所望するチケットに記される固有のチケットＩＤを含む印刷イメージデータを生成して通信端末１１に送信し、通信端末１１はその印刷イメージデータをプリンタ１２で印刷し、その出力紙に予め発行されたラベルを貼り付ける。【選択図】  図２
2004288033.tif 000002
【特許請求の範囲】
【請求項１】
チケット購入希望者からの要求に応じて該チケット購入希望者に対してチケット発行管理者が固有の個人ＩＤが記されたラベルを予め発行し、
前記チケット購入希望者は、チケット発行要求時に通信端末を用いて前記チケット発行管理者に所望のチケットの発行要求を通信網を介して行い、
該要求に応じて前記チケット発行管理者は前記チケット購入希望者が所望するチケットに記される固有のチケットＩＤを含む印刷イメージデータを生成して該生成した印刷イメージデータを通信網を介して前記通信端末に送信し、
該印刷イメージデータを受信した前記通信端末は該印刷イメージデータを該通信端末に接続された印刷機で印刷し、
該印刷イメージが出力紙に正常に印刷された場合に該出力紙に予め発行された前記ラベルを貼り付けることにより所望のチケットを得る
ことを特徴とするチケット発行方法。
【請求項２】
前記通信端末は、前記印刷イメージデータが前記印刷機で正常に印刷されなかった場合、前記チケット発行管理者に印刷が失敗した旨を通知する失敗通知信号を送信し、
前記チケット発行管理者は、前記失敗通知信号を受信すると、前回送信したチケットＩＤを破棄し、該破棄したチケットＩＤとは異なる固有のチケットＩＤを再設定し、該再設定した新規のチケットＩＤを含む印刷イメージデータを生成して前記チケット発行要求を行った通信端末に再送信し、それ以降、当該チケット発行要求を行った通信端末からチケットが前記印刷機で正常に印刷された旨を通知する成功通知信号を受信するまで、前記再設定及び前記再送信処理を繰り返すことを特徴とする請求項１記載のチケット発行方法。
【請求項３】
前記通信端末は、前記印刷イメージデータが前記印刷機で正常に印刷された場合、前記チケット発行管理者側に対して印刷が成功した旨を通知する成功通知信号を送信し、
前記チケット発行管理者は、前記成功通知信号を受信すると、前記チケット購入希望者が所望するイベントの会場に前記正常に印刷された出力紙に記される前記チケットＩＤと該出力紙に貼り付けられる前記個人ＩＤとをペアにした情報を通知することを特徴とする請求項１記載のチケット発行方法。
【請求項４】
前記イベント会場では、会場訪問者が持参したチケットに記されているチケットＩＤ及び個人ＩＤと、前記チケット発行管理者から事前に通知されているチケットＩＤ及び個人ＩＤとを照合し、両ＩＤが一致した場合にのみ前記会場訪問者が持参したチケットが正当なものであると判断することを特徴とする請求項３記載のチケット発行方法。
【請求項５】
前記チケット発行管理者は、前記ラベルを発行する際、前記チケット購入希望者がチケット発行を要求する際に使用するパスワードを発行して前記チケット購入希望者宛てに該発行したパスワードを通知し、
前記チケット購入希望者は、前記通知されてきたパスワード及び前記送付されてきたラベルの個人ＩＤを用いて所望するチケットの発行手続きが行えることを特徴とする請求項１記載のチケット発行方法。
【請求項６】
前記通信端末は、前記印刷機に前記印刷イメージデータを転送し終わった後に該印刷イメージデータを消去することを特徴とする請求項１記載のチケット発行方法。
【請求項７】
前記チケット発行管理会社は、発行ラベルの偽造防止として、紫外線反応印字、立体印字、複写時に消去する複写不可印字等の特殊印刷処理を前記発行するラベルに施し、
イベント会場にて前記特殊印刷処理が施されたラベルであるかどうかをチェックすることを特徴とする請求項１記載のチケット発行方法。
【請求項８】
チケット購入希望者からの要求に応じて該チケット購入希望者に対してチケット発行管理者側で固有の個人ＩＤが記されたラベルを予め発行する発行手段と、
前記チケット購入希望者のチケット発行要求時に前記チケット発行管理者側に所望のチケットの発行要求を通信網を介して行う通信端末と、
前記通信端末の発行要求に応じて前記チケット発行管理者側で前記チケット購入希望者が所望するチケットに記される固有のチケットＩＤを含む印刷イメージデータを生成する生成手段と、
前記生成手段により生成した印刷イメージデータを通信網を介して前記通信端末に送信する送信手段と、
前記通信端末に接続され、該通信端末が前記送信手段で送信された印刷イメージデータを受信した場合、該印刷イメージデータを印刷する印刷機と
を具備し、
前記通信端末が前記送信手段で送信された印刷イメージデータを受信し前記印刷機で該受信した印刷イメージデータを印刷し、該印刷イメージが出力紙に正常に印刷された場合に該出力紙に予め発行された前記ラベルを貼り付けることにより所望のチケットを得る
ことを特徴とするチケット発行システム。
【請求項９】
前記通信端末は、前記印刷イメージデータが前記印刷機で正常に印刷されなかった場合、前記チケット発行管理者側に印刷が失敗した旨を通知する失敗通知信号を送信し、
前記チケット発行管理会社側は、
前記失敗通知信号を受信する受信手段と、
前記受信手段で前記失敗通知信号を受信した場合、前回送信したチケットＩＤを破棄する破棄手段とを更に具備し、
前記受信手段で前記失敗通知信号を受信し、前記破棄手段で前回送信したチケットＩＤを破棄した場合、前記生成手段が前記破棄したチケットＩＤとは異なる固有のチケットＩＤを再設定し、該再設定した新規のチケットＩＤを含む印刷イメージデータを生成し、前記送信手段が前記生成手段が新規に生成した印刷イメージデータを前記チケット発行要求を行った通信端末に再送信し、それ以降、前記生成手段及び前記送信手段が当該チケット発行要求を行った通信端末からチケットが前記印刷機で正常に印刷された旨を通知する成功通知信号を受信するまで、前記新規の印刷イメージの生成処理及び前記再送信処理を繰り返すことを特徴とする請求項８記載のチケット発行システム。
【請求項１０】
前記通信端末は、前記印刷イメージデータが前記印刷機で正常に印刷された場合、前記チケット発行管理者側に印刷が成功した旨を通知する成功通知信号を送信し、
前記チケット発行管理者側は、
前記受信手段により前記成功通知信号を受信した場合、前記チケット購入希望者が所望するイベントの会場に前記正常に出力された出力紙に記される前記チケットＩＤと該出力紙に貼り付けられる前記個人ＩＤとをペアにした情報を通知する通知手段を更に具備することを特徴とする請求項９記載のチケット発行システム。
【請求項１１】
前記イベント会場では、会場訪問者が持参したチケットに記されているチケットＩＤ及び個人ＩＤと、前記チケット発行管理者側から事前に通知されているチケットＩＤ及び個人ＩＤとを照合し、両ＩＤが一致した場合にのみ前記会場訪問者が持参したチケットが正当なものであると判断することを特徴とする請求項１０記載のチケット発行システム。
【請求項１２】
前記チケット発行管理者側は、
前記ラベルを発行する際、前記チケット購入希望者がチケット発行を要求する際に使用するパスワードを発行して前記チケット購入希望者宛てに該発行したパスワードを通知する通知手段を更に具備し、
前記チケット購入希望者は、前記通知されてきたパスワード及び前記送付されてきたラベルの個人ＩＤを用いて所望するチケットの発行手続きが行えることを特徴とする請求項８記載のチケット発行システム。
【請求項１３】
前記通信端末は、前記印刷機に前記印刷イメージデータを転送した後に該印刷イメージデータを消去することを特徴とする請求項８記載のチケット発行システム。
【請求項１４】
前記チケット発行管理会社側は、発行ラベルの偽造防止として、紫外線反応印字、立体印字、複写時に消去する複写不可印字等の特殊印刷処理を前記発行ラベルに施し、
イベント会場にて前記特殊印刷処理が施されたラベルであるかどうかをチェックすることを特徴とする請求項８記載のチケット発行システム。
【請求項１５】
チケット発行管理者側からチケット購入希望者が所望するチケットに記される固有のチケットＩＤを含む印刷イメージデータを受信し、該受信した印刷イメージデータの印刷を行う印刷機に接続された通信端末で用いられるチケット発行処理プログラムであって、
前記印刷機に接続された通信端末に対して、前記チケット発行管理者側の通信端末との通信接続処理を行わせ、通信接続した後、チケット購入希望者が所望するチケットの発行要求処理を行わせると共に、該要求に応じて前記チケット発行管理者側の通信端末から送信された前記印刷イメージデータを受信処理させ、該受信した印刷イメージデータを前記印刷機に転送処理を行わせ、転送完了した後に該印刷イメージデータを消去処理させる
ことを特徴とするチケット発行処理プログラム。
【請求項１６】
前記印刷機に接続された通信端末に対して、前記印刷イメージデータが前記印刷機で正常に印刷されなかった場合、前記チケット発行管理者側の通信端末に対して印刷が失敗した旨を通知する失敗通知信号を送信する処理を行わせることを特徴とする請求項１５記載のチケット発行処理プログラム。
【請求項１７】
前記印刷機に接続された通信端末は、前記印刷イメージデータが前記印刷機で正常に印刷された場合、前記チケット発行管理者側の通信端末に対して印刷が成功した旨を通知する成功通知信号を送信する処理を行わせることを特徴とする請求項１５記載のチケット発行処理プログラム。
【発明の詳細な説明】
【０００１】
【発明の属する技術分野】
本発明は、音楽コンサート会場に入場するのに必要なチケットなどの各種チケットのチケット発行方法、チケット発行システムおよびチケット発行処理プログラムに関し、特に、チケット偽造を抑制しつつ、チケット発行およびチケット購入が容易且つ確実に行うことができるチケット発行方法、チケット発行システムおよびチケット発行処理プログラムに関する。
【０００２】
【従来の技術】
従来、音楽コンサート等の会場に入場する為のチケットなどの各種チケットを入手する為の便利な方法として、コンビニエンスストアで売られているチケットをその場で購入する方法（以下、「従来方法１」と言う。）や、若しくはインターネットでチケットの販売を行っているチケット会社等に注文し、そのチケット会社から自宅にチケットを郵送してもらうことにより購入する方法（以下、「従来方法２」と言う。）がある。
【０００３】
ところが、上記従来方法１においては、チケット購入者はコンビニエンスストアに直接出向かなければならない。また、チケット販売を取り扱わないコンビニエンスストアも多く、チケット購入者の生活環境によっては、チケット購入が楽ではない。
【０００４】
また、上記従来方法２においては、チケット購入者の手元にチケットが届くまで時間がかかる為、開演間近のチケット等は入手できないケースがほとんどである。
【０００５】
また、従来、上記従来方法１及び従来方法２を考慮して、単に、チケット購入者の自宅にてチケット印刷を行わせようとすると、簡単に印刷できる分偽造される虞がある。
【０００６】
尚、近い従来技術として、特許文献１の「チケット販売方法、データ処理装置および方法、データ通信システム、情報記憶媒体」が知られている。
【０００７】
【特許文献１】
特開２００２−０４９９４１号公報。
【０００８】
【発明が解決しようとする課題】
上述の如く、従来のチケット発行方法にあっては、チケット購入者はコンビニエンスストアに直接出向かなければならない、チケット販売を取り扱わないコンビニエンスストアも多くチケット購入が楽ではない等のチケット購入するまでの手間があった。
【０００９】
また、従来のチケット発行方法にあっては、チケット購入者の手元にチケットが届くまで時間がかかる為、開演間近のチケット等は入手できないという不便さがあった。
【００１０】
また、従来の問題点を考慮して、単に、チケット購入者の自宅にてチケット印刷を行わせようとすると、簡単に印刷できる分偽造されるという虞がある。
【００１１】
そこで、本発明は上記実情に鑑み、チケット偽造を抑制しつつ、チケット発行およびチケット購入が容易且つ確実に行うことが可能なチケット発行方法、チケット発行システムおよびチケット発行処理プログラムの提供を目的とするものである。
【００１２】
【課題を解決するための手段】
上述した目的を達成するため、請求項１記載の発明は、チケット購入希望者からの要求に応じて該チケット購入希望者に対してチケット発行管理者が固有の個人ＩＤが記されたラベルを予め発行し、前記チケット購入希望者は、チケット発行要求時に通信端末を用いて前記チケット発行管理者に所望のチケットの発行要求を通信網を介して行い、該要求に応じて前記チケット発行管理者は前記チケット購入希望者が所望するチケットに記される固有のチケットＩＤを含む印刷イメージデータを生成して該生成した印刷イメージデータを通信網を介して前記通信端末に送信し、該印刷イメージデータを受信した前記通信端末は該印刷イメージデータを該通信端末に接続された印刷機で印刷し、該印刷イメージが出力紙に正常に印刷された場合に該出力紙に予め発行された前記ラベルを貼り付けることにより所望のチケットを得ることを特徴とする。
【００１３】
また、請求項２の発明は、請求項１の発明において、前記通信端末は、前記印刷イメージデータが前記印刷機で正常に印刷されなかった場合、前記チケット発行管理者に印刷が失敗した旨を通知する失敗通知信号を送信し、
前記チケット発行管理者は、前記失敗通知信号を受信すると、前回送信したチケットＩＤを破棄し、該破棄したチケットＩＤとは異なる固有のチケットＩＤを再設定し、該再設定した新規のチケットＩＤを含む印刷イメージデータを生成して前記チケット発行要求を行った通信端末に再送信し、それ以降、当該チケット発行要求を行った通信端末からチケットが前記印刷機で正常に印刷された旨を通知する成功通知信号を受信するまで、前記再設定及び前記再送信処理を繰り返すことを特徴とする。
【００１４】
また、請求項３の発明は、請求項２の発明において、前記通信端末は、前記印刷イメージデータが前記印刷機で正常に印刷された場合、前記チケット発行管理者側に対して印刷が成功した旨を通知する成功通知信号を送信し、前記チケット発行管理者は、前記成功通知信号を受信すると、前記チケット購入希望者が所望するイベントの会場に前記正常に印刷された出力紙に記される前記チケットＩＤと該出力紙に貼り付けられる前記個人ＩＤとをペアにした情報を通知することを特徴とする。
【００１５】
また、請求項４の発明は、請求項３の発明において、前記イベント会場では、会場訪問者が持参したチケットに記されているチケットＩＤ及び個人ＩＤと、前記チケット発行管理者から事前に通知されているチケットＩＤ及び個人ＩＤとを照合し、両ＩＤが一致した場合にのみ前記会場訪問者が持参したチケットが正当なものであると判断することを特徴とする。
【００１６】
また、請求項５の発明は、請求項１の発明において、前記チケット発行管理者は、前記ラベルを発行する際、前記チケット購入希望者がチケット発行を要求する際に使用するパスワードを発行して前記チケット購入希望者宛てに該発行したパスワードを通知し、前記チケット購入希望者は、前記通知されてきたパスワード及び前記送付されてきたラベルの個人ＩＤを用いて所望するチケットの発行手続きが行えることを特徴とする。
【００１７】
また、請求項６の発明は、請求項１の発明において、前記通信端末は、前記印刷機に前記印刷イメージデータを転送し終わった後に該印刷イメージデータを消去することを特徴とする。
【００１８】
また、請求項７の発明は、請求項１の発明において、前記チケット発行管理会社は、発行ラベルの偽造防止として、紫外線反応印字、立体印字、複写時に消去する複写不可印字等の特殊印刷処理を前記発行するラベルに施し、イベント会場にて前記特殊印刷処理が施されたラベルであるかどうかをチェックすることを特徴とする。
【００１９】
また、請求項８の発明は、チケット購入希望者からの要求に応じて該チケット購入希望者に対してチケット発行管理者側で固有の個人ＩＤが記されたラベルを予め発行する発行手段と、前記チケット購入希望者のチケット発行要求時に前記チケット発行管理者側に所望のチケットの発行要求を通信網を介して行う通信端末と、前記通信端末の発行要求に応じて前記チケット発行管理者側で前記チケット購入希望者が所望するチケットに記される固有のチケットＩＤを含む印刷イメージデータを生成する生成手段と、前記生成手段により生成した印刷イメージデータを通信網を介して前記通信端末に送信する送信手段と、前記通信端末に接続され、該通信端末が前記送信手段で送信された印刷イメージデータを受信した場合、該印刷イメージデータを印刷する印刷機とを具備し、前記通信端末が前記送信手段で送信された印刷イメージデータを受信し前記印刷機で該受信した印刷イメージデータを印刷し、該印刷イメージが出力紙に正常に印刷された場合に該出力紙に予め発行された前記ラベルを貼り付けることにより所望のチケットを得ることを特徴とする。
【００２０】
また、請求項９の発明は、請求項８の発明において、前記通信端末は、前記印刷イメージデータが前記印刷機で正常に印刷されなかった場合、前記チケット発行管理者側に印刷が失敗した旨を通知する失敗通知信号を送信し、前記チケット発行管理会社側は、前記失敗通知信号を受信する受信手段と、前記受信手段で前記失敗通知信号を受信した場合、前回送信したチケットＩＤを破棄する破棄手段とを更に具備し、前記受信手段で前記失敗通知信号を受信し、前記破棄手段で前回送信したチケットＩＤを破棄した場合、前記生成手段が前記破棄したチケットＩＤとは異なる固有のチケットＩＤを再設定し、該再設定した新規のチケットＩＤを含む印刷イメージデータを生成し、前記送信手段が前記生成手段が新規に生成した印刷イメージデータを前記チケット発行要求を行った通信端末に再送信し、それ以降、前記生成手段及び前記送信手段が当該チケット発行要求を行った通信端末からチケットが前記印刷機で正常に印刷された旨を通知する成功通知信号を受信するまで、前記新規の印刷イメージの生成処理及び前記再送信処理を繰り返すことを特徴とする。
【００２１】
また、請求項１０の発明は、請求項９の発明において、前記通信端末は、前記印刷イメージデータが前記印刷機で正常に印刷された場合、前記チケット発行管理者側に印刷が成功した旨を通知する成功通知信号を送信し、前記チケット発行管理者側は、前記受信手段により前記成功通知信号を受信した場合、前記チケット購入希望者が所望するイベントの会場に前記正常に出力された出力紙に記される前記チケットＩＤと該出力紙に貼り付けられる前記個人ＩＤとをペアにした情報を通知する通知手段を更に具備することを特徴とする。
【００２２】
また、請求項１１の発明は、請求項１０の発明において、前記イベント会場では、会場訪問者が持参したチケットに記されているチケットＩＤ及び個人ＩＤと、前記チケット発行管理者側から事前に通知されているチケットＩＤ及び個人ＩＤとを照合し、両ＩＤが一致した場合にのみ前記会場訪問者が持参したチケットが正当なものであると判断することを特徴とする。
【００２３】
また、請求項１２の発明は、請求項８の発明において、前記チケット発行管理者側は、前記ラベルを発行する際、前記チケット購入希望者がチケット発行を要求する際に使用するパスワードを発行して前記チケット購入希望者宛てに該発行したパスワードを通知する通知手段を更に具備し、前記チケット購入希望者は、前記通知されてきたパスワード及び前記送付されてきたラベルの個人ＩＤを用いて所望するチケットの発行手続きが行えることを特徴とする。
【００２４】
また、請求項１３の発明は、請求項８の発明において、前記通信端末は、前記印刷機に前記印刷イメージデータを転送した後に該印刷イメージデータを消去することを特徴とする。
【００２５】
また、請求項１４の発明は、請求項８の発明において、前記チケット発行管理会社側は、発行ラベルの偽造防止として、紫外線反応印字、立体印字、複写時に消去する複写不可印字等の特殊印刷処理を前記発行ラベルに施し、イベント会場にて前記特殊印刷処理が施されたラベルであるかどうかをチェックすることを特徴とする。
【００２６】
また、請求項１５の発明は、チケット発行管理者側からチケット購入希望者が所望するチケットに記される固有のチケットＩＤを含む印刷イメージデータを受信し、該受信した印刷イメージデータの印刷を行う印刷機に接続された通信端末で用いられるチケット発行処理プログラムであって、前記印刷機に接続された通信端末に対して、前記チケット発行管理者側の通信端末との通信接続処理を行わせ、通信接続した後、チケット購入希望者が所望するチケットの発行要求処理を行わせると共に、該要求に応じて前記チケット発行管理者側の通信端末から送信された前記印刷イメージデータを受信処理させ、該受信した印刷イメージデータを前記印刷機に転送処理を行わせ、転送完了した後に該印刷イメージデータを消去処理させることを特徴とする。
【００２７】
また、請求項１６の発明は、請求項１５の発明において、前記印刷機に接続された通信端末に対して、前記印刷イメージデータが前記印刷機で正常に印刷されなかった場合、前記チケット発行管理者側の通信端末に対して印刷が失敗した旨を通知する失敗通知信号を送信する処理を行わせることを特徴とする。
【００２８】
また、請求項１７の発明は、請求項１５の発明において、前記印刷機に接続された通信端末は、前記印刷イメージデータが前記印刷機で正常に印刷された場合、前記チケット発行管理者側の通信端末に対して印刷が成功した旨を通知する成功通知信号を送信する処理を行わせることを特徴とする。
【００２９】
【発明の実施の形態】
以下、本発明に係わるチケット発行方法およびチケット発行システムの実施の形態を添付図面を参照して詳細に説明する。
【００３０】
図１は、本発明のチケット発行システム１００の一構成例を示す図である。尚、ここで言うチケットとは、音楽コンサート等の会場に入場する場合に必要なチケット等である。
【００３１】
図１において、このチケット発行システム１００は、大きくは、チケット購入者宅１と、インターネット２と、チケット発行管理会社３から構成される。
【００３２】
ここで、チケット購入者宅１は、チケットを購入しようとする者（以下、単に「ユーザ」と言う。）の住居である。そして、同図１に示すように、このチケット購入者宅１には、後述するチケット発行管理会社３の通信端末３１とインターネット２を介してユーザがチケットを購入するのに必要な通信手続きを行う通信端末１１（例えば、ＰＣ：パーソナルコンピュータ）と、その通信端末１１からの指示に応じて後述のチケット発行管理会社３から送られてくるチケットＩＤを含んだ印刷情報の印字を行う機能を有する印刷機１２（例えば、プリンタ）とが具わる。
【００３３】
また、インターネット２は、チケット購入者宅１の通信端末１１と、チケット発行管理会社３の通信端末３１との間のチケット発行手続きに関する各種情報を送受信する通信回線網である。
【００３４】
また、チケット発行管理会社３は、チケットの発行管理を行う会社であり、各種イベントチケットの取りまとめを行う機関である。具体的には、チケットの予約、空席、販売情報を一定に管理している。そして、同図１に示すように、このチケット発行管理会社３には、チケット購入者宅１の通信端末１１からインターネット２経由で送られてきたチケット発行要求に従ってユーザが希望するチケットの発行管理手続きの各種処理を行う通信端末３１と、この通信端末３１の指示に応じて後述する個人ＩＤを記載した偽造防止用ラベルを印刷する機能を有する印刷機３２とが具わる。
【００３５】
尚、このチケット発行システムでは、各ユーザは、チケット会社アクセス用ソフトウェア（以下、アクセスソフトという。）を入手する必要がある。
【００３６】
ここでいうアクセスソフトは、プリンタ製品に添付、若しくは単品ソフトウェアとして販売されており、チケット購入者宅１の通信端末１１とチケット会社間のデータのやりとりを行う機能を有する。また、インターネット２等を介してアクセスソフトを配信しユーザの端末にダウンロードさせるようにしても良い。尚、このアクセスソフトは、プリンタメーカーが開発・販売し、そのシステムを利用して購入されたチケットの購入費の一部をプリンタメーカーが対価として得るようにする。
【００３７】
そして、各ユーザは、各自宅の通信端末１１にアクセスソフトをインストールすることにより、アクセスソフトを仲介しチケット会社との情報のやりとりが可能となると共に、印刷機１２にてチケット発行管理会社３から送られてくる印刷情報の印刷が行える。
【００３８】
尚、上記実施例のシステムでは、チケットを購入したい者の通信端末１１とチケット発行手続きに係る処理を行う通信端末３１をチケット発行管理会社３に具える構成を示したが、これに限らず、このチケット発行システムの運用を任されたチケット発行管理会社３の管理下にある場所ならどこでも良い。
【００３９】
また、上記実施例のシステムでは、チケット発行管理会社３が個人ＩＤを記載した偽造防止ラベルを印刷する印刷機３２を具えるように示したが、これに限らず、チケット発行管理会社３からの指示で上記ラベルを印刷する場所に印刷機３２を具えるようにしても良い。
【００４０】
図２は、図１に示したチケット発行システム１００におけるチケット発行の処理手順を示すフローチャートである。
【００４１】
図２において、まず、ユーザは、自宅（チケット購入者宅）１の通信端末１１に上述したアクセスソフトをインストールする（ステップＳ１０１）。これにより、それ以降、そのアクセスソフトを仲介しチケット発行管理会社３との情報のやり取りが可能となる。
【００４２】
次いで、ユーザは、そのアクセスソフトを用いて、チケット発行管理会社３の通信端末３１にアクセスして会員登録手続きを行うと共に、チケットの料金支払方法の手続きを行う（ステップＳ１０２）。
【００４３】
すると、チケット発行管理会社３では、上記アクセスソフトによりアクセスしてきたユーザに対して個人ＩＤが記載された偽造防止用ラベルとパスワードを発行し、これら個人ＩＤ記載の偽造防止用ラベル（以下、単に「ラベル」と言う）とパスワードを該当するチケット購入者宅１に郵送等により送付する（ステップＳ２０１）。尚、このＳ２０１処理におけるチケット発行管理会社３の処理の様子を図３に示す。この図３に示すように、チケット発行管理会社３では、チケット発行管理テーブル３００に登録を行う。具体的には、上述のＳ１０２の処理に応じて会員登録手続きとして「会員コードＮＯ．」と、「住所」と、「氏名」と、「支払方法」とを登録する。この例では、「会員コードＮＯ．」として「１２３４５」を、「住所」として「東京都中央区○○○」を、「氏名」として「○券○男」を、「支払方法」として「一括振込み」を登録している。また、アクセスしてきたユーザに固有の「偽造防止用ラベルの個人ＩＤ」を設定して登録し、この個人ＩＤを記載したラベルＡを印刷発行すると共に、そのユーザに固有の「パスワード」を設定登録し、この設定したパスワードを記載したパスワード書類Ｂを印刷する。尚、この例では、「偽造防止用ラベルの個人ＩＤ」として「ＡＢＣＤ１２３４」を、「パスワード」として「＊＊＊＊＊」を設定登録している。そして、この印刷発行したラベルＡとパスワード書類Ｂを郵送車等により該当するユーザ宛に郵送する。尚、ここでいう個人ＩＤとパスワードは、ユーザがインターネット上のチケット発行管理会社にアクセス後、所望のイベントの内容、空席状況を確認する際に必要なものである。そして、個人ＩＤは、ユーザ毎に固有に割り当てられる識別情報であり、ユーザ個人を特定するのに使われる情報であると共に、後述するチケットＩＤと共にチケット偽造防止に使われるものである。また、パスワードは、インターネット通信上でセキュリティを保護するのに使われる情報である。
【００４４】
その後、ユーザは、上記郵送されてきたラベルＡとパスワード書類Ｂを郵送等により受け取る（ステップＳ１０３）。尚、この様子を図４に示す。この受け取り後、そのユーザは、チケット発行管理会社３の通信端末３１に対して再度アクセスし、このアクセス後、上記受け取ったラベルＡに記載されている個人ＩＤと、パスワード書類Ｂに記載されているパスワードを入力することにより、希望のイベントの内容、空席状況等を確認することができる。そして、希望の条件のチケットがあった場合、購入手続きを行う（ステップＳ１０４）。尚、この時点で各個人に課金が行われる。
【００４５】
これに対し、チケット発行管理会社３では、購入手続きが完了すると、チケット印刷用のイメージデータを該当する希望者に送信する（ステップＳ２０２）。尚、このイメージデータには、イベントの日程、場所、チケットＩＤ、及びそれらの情報のバーコード印字情報が含まれている。また、本発明では、特に、このイメージデータは偽造防止のため、注文した個人のアクセスソフトを介して１回のみ印字できる機能を併せ持っている。具体的には、チケット発行管理会社３から送られてくるチケットのイメージデータは、各個人の通信端末（ＰＣ）１１にインストールしたアクセスソフトでのみ展開できる特殊フォーマットで作成されている。そして、イメージデータ印刷時、アクセスソフトは通信端末１１からイメージデータを印刷機（プリンタ）１２へ送った後、そのデータを自動的に消去する機能を有することにより１回のみの印字を可能としている。
【００４６】
尚、このＳ２０２の処理におけるチケット発行管理会社３の処理の様子を図５に示す。同図５に示すように、チケット発行管理会社３では、チケット発行管理テーブル３００に登録を行う。具体的には、上述のＳ１０４の処理に応じてチケット予約手続きとして「イベント内容」と、「日程」と、「場所」と、「席」とを登録する。この例では、「イベント内容」として「○○公演」を、「日程」として「○月○日」を、「場所」として「○○劇場」を、「席」として「Ａ席」を登録している。また、アクセスしてきたユーザに対して固有のチケットＩＤを設定して登録する。尚、この例では、「チケットＩＤ」として「ＥＦＧＨ５６９８」を登録している。そして、上記登録した「イベント内容」と、「日程」と、「場所」と、「席」と、「チケットＩＤ」と、それらの情報のバーコード印字情報を含んだイメージデータＣを生成し該当するユーザの通信端末１１に対して送信する。尚、ここでいうチケットＩＤとは、チケット毎に固有に割り当てられた識別情報でありチケットを特定するのに使われる情報であると共に、上述の個人ＩＤと共にチケット偽造防止に使われるものである。即ち、この処理により、ユーザは、チケット発行要求する前に、予め個人ＩＤが記されたラベルを受け取っておけるので、開演間近のチケットでも容易に入手することができるようになる。
【００４７】
その後、チケット購入者宅１では、上記チケット発行管理会社３から送られてくるイメージデータＣを印刷機１２で印刷する（ステップＳ１０５）。
【００４８】
ここで、イメージデータの印刷が正常に行われると（ステップＳ１０５ＹＥＳ）、通信端末１１からチケット発行管理会社３の通信端末３１に対して印刷が成功した旨を通知する印刷成功通知信号を送信する（ステップＳ１０６）。尚、正常に印刷された場合の出力紙、即ち、ラベルＡを添付する前の未完成チケットＤの概略構成を図６に示す。同図６に示すように、この未完成チケットＤには、ラベルＡを添付する箇所Ｄ−１が用意されている。
【００４９】
すると、チケット発行管理会社３では、正常に印刷が行われたイメージデータに対応した予約状況をイベント会場４に通知する（ステップＳ２０３）。即ち、チケット購入者宅１で正常に印刷されたイメージデータに含まれるチケットＩＤと、Ｓ２０１にて既に発行済みのラベルＡに記載された個人ＩＤのペアを少なくとも該当するイベント会場４に対して入場の許可または拒否を判断する材料として通知する。尚、この様子を図７に示す。同図７に示すように、チケット発行管理会社３では、ユーザの通信端末１１から印刷成功通知信号を受信した場合に、現在そのユーザに対応付けて登録保持しているチケット発行管理テーブル３００の情報に含まれるチケットＩＤ（例えば、「ＥＦＧＨ５６７８」）と、ラベルＡの個人ＩＤ（例えば、「ＡＢＣＤ１２３４」）とをそのチケットのイベントを開催するイベント会場４に対して予約状況データＥとして通知する。この予約状況データＥには、チケット購入者の「住所」や「氏名」を添付するようにしても良い。
【００５０】
その後、ユーザは、Ｓ１０５にて正常に印刷されたチケットＤに既に受け取っているラバルＡを貼り付ける（ステップＳ１０７）。尚、この貼り付ける様子を図８に示す。同図８に示すように、ユーザは、正常に印刷された未完成チケットＤの所定のラベル貼り付け箇所Ｄ−１にラベルＡを貼り付け、完成した正式なチケットＦを取得することができる。
【００５１】
そして、ユーザは、そのラベルＡを貼り付けたチケットＦを持参して該当するイベント会場４に赴く（ステップＳ１０８）。
【００５２】
他方、イベント会場４では、会場訪問者が持参したチケットの正当性を確認する（ステップＳ３０１）。即ち、会場訪問者が持参したチケットに記されているチケットＩＤおよび個人ＩＤとを事前にチケット発行管理会社３から通知されている予約状況データＥのものと照合し、両者が一致した場合にのみチケットが正当なものであるとし、入場を許可する。他方、その照合の結果、少なくともいずれか一方のＩＤが違っている場合には、そのチケットが正当なものでないとし、入場を拒否する。尚、イベント会場４における入場が許可される場合と拒否される場合のイメージを図９に示す。同図９の（ａ）が会場訪問者がチケットをイベント会場４に持参して係員Ｇに手渡している様子を示し、同図９（ｂ）が、入場が許可された様子を示し、同図９（ｃ）が入場を拒否された様子を示している。そして、同図９（ｂ）及び（ｃ）に示すように、イベント会場４では、例えば、会場訪問者が持参するチケットのチケットＩＤおよび個人ＩＤのバーコード部分を読取るハンドスキャナ４１と、チケット発行管理会社３からの予約状況データＥを取得して保持すると共にハンドスキャナ４１で読み取ったデータとを照合しチケットの正当性を判定する通信端末４２とが具わる。そして、この通信端末４２は、会場訪問者が持参したチケットのチケットＩＤおよび個人ＩＤの両者が予め通知されてる予約状況データのチケットＩＤおよび個人ＩＤの両者と一致した場合に、チケットが正当である旨を表示（例えば、「ＯＫ  入場許可」）等により係員Ｇに通知し、他方、両ＩＤの少なくとも一つが一致しなければ正当でないと旨を表示（例えば、「ＮＧ  入場拒否」）等により係員Ｇに通知する。尚、この処理を図１０に示す。尚、ここでは、イベント会場４におけるチケットの正当性を確認する方法を図９および図１０のように示したが、これ以外の方法でも良い。結局、イベント会場４では、チケット発行管理会社３から送られてくる予約状況データに含まれるチケットＩＤおよび個人ＩＤのペア情報と会場訪問者が持参したチケットのチケットＩＤおよび個人ＩＤの照合を行うことでチケットの正当性を判断できればやり方は問わない。
【００５３】
尚、上述の処理で発行されたチケットＦを持参したユーザは、Ｓ３０１でチケットが正当であると判定され、イベント会場４への入場を許可され、そのイベント会場４へ入場する（ステップＳ１０９）。
【００５４】
また、他方、上記Ｓ１０５の処理において、インク及び用紙切れや、紙詰まり等によりチケット発行管理会社３から送られてきたイメージデータが正常に印刷できなかった場合（ステップＳ１０５ＮＯ）、通信端末１１からチケット発行管理会社３の通信端末３１に対して印刷失敗通知信号を送信する（ステップＳ１１０）。これにより、チケット発行管理会社３の通信端末３１は、Ｓ２０２の処理において、イメージデータの発行手続き処理を行う。即ち、この場合、新規のイメージデータの再発行手続き処理を行うことになる。この様子を図１１に示す。同図１１に示すように、イベント発行管理会社３では、ユーザの通信端末１１から印刷失敗通知を受け取る度に新しいチケットＩＤを設定し、この新しく設定したチケットＩＤを含んだイメージデータをユーザの通信端末１１に再送信する。そして、このように、印刷失敗通知を受信する毎に新規のチケットＩＤを再設定しイメージデータを再送する処理を繰り返し、最終的にユーザの通信端末１１から印刷成功通知を受信した時に現在登録保持しているチケットＩＤで確定する。即ち、チケット購入者宅１側でイメージデータの印刷が正常に行えなかった場合には、その時印刷対象であったチケットＩＤは破棄されることになる。そして、最終的に印刷成功通知を受信するまで、イベント会場４への予約状況データの通知が行われない。尚、チケット購入者宅１側では、上述のＳ１０４以降の処理を繰り返す。
【００５５】
また、上記実施例では、発行するラベルの数は述べていないが、発行するラベルの枚数は１度に１枚のみ発行しても良いし、１度にまとめて数十枚単位で複数枚発行するようにしても良い。これにより、ユーザのチケット購入の勝手が向上すると共に、チケット発行管理者側のラベル送付コストを削減することができる。尚、複数枚ラベルを発行する場合、ラベル毎に異なる個人ＩＤを設定するようにしても良い。
【００５６】
また、上記実施例では、Ｓ２０１の処理において、チケット発行管理会社３から個人ＩＤ記載のラベルＡとパスワード書類Ｂを郵送するように示したが、これに限らず、個人ＩＤ記載のラベルＡのみ郵送するようにし、パスワードについてはインターネットや電話若しくはＦＡＸ等にて通知するようにしても良い。
【００５７】
また、上記実施例では、自宅にいながらにしてチケットを購入できる構成を示したが、これ以外にも会社等で行うようにしても良い。即ち、その場合、自宅以外の会社等の印刷機に接続された通信端末に上述のアクセスソフトをインストールし、上述のラベルとパスワードの送付先をユーザの自宅でないその会社等の住所宛に変更指定できるようにする。また、ラベルとパスワードを送付する場所とチケット発行管理会社３から送られてくるイメージデータを印刷する場所とを違うように設定できるようにしても良い。
【００５８】
また、上記実施例では、例えば、上述の図２の処理Ｓ１０１及びＳ１０２及びＳ２０１及びＳ１０３に示すように、チケット購入希望者が個人ＩＤラベルとパスワードを受け取るのに通信端末を用いて会員登録を行って個人ＩＤラベル及びパスワードの発行要求を行うような構成を示したが、これに限らず、チケット購入希望者が予めチケット発行管理会社側で用意している申し込み書類に所定事項を記入し、チケット発行管理会社側に郵送して行うようにしても良い。尚、その場合、アクセスソフトとしては、上述の図２に示した処理Ｓ１０２を行わないものを用意する。
【００５９】
また、チケット発行管理会社側では、発行ラベルのコピー等による偽造防止方法として、ラベル上に特殊印刷処理を施すようにしても良い。例えば、紫外線をあてると反応する印字個所を作成する処理を施したり、通常の複写機或いは印刷機では印刷できない立体印刷を施したり、コピーをとった場合に消えてしまう印字個所を作成する処理を施す。これにより、例え、悪質なユーザがラベルを不正につくったとしても上述のような特殊処理を施したラベルであるかどうかをイベント会場等でチェックすることにより不正なラベルが貼られたチケットを拒否することができる。
【００６０】
また、その他、上記特殊印刷処理と合わせる若しくは別に一般には入手困難な特殊用紙にてラベルを発行したり、金属線を埋め込んだ特殊用紙にてラベルを発行するようにしても良い。そして、イベント会場にてラベル部分の質をチェックする。
【００６１】
以上述べてきたような本発明の構成によると、チケット偽造を抑制しつつ、チケット発行およびチケット購入が容易且つ確実に行うことができる。
【００６２】
また、その他、以下のような効果を奏する。安価な家庭用プリンタでチケット印刷が可能である。また、チケット印刷するプリンタ及び用紙の種類を問わない。また、万が一プリンタで紙詰まり等が発生し印刷できなかった場合の救済措置も考慮している為、個人が安心して利用できるシステムである。また、従来イベント会場、プレイガイド、コンビニエンスストア等で、チケット販売していた工数が不要となり、個人の課金の一部をアクセスソフトの開発、及びインフラ整備に費用を回すことができる。また、プリンタメーカーは個人の課金の一部でアクセスソフトを開発し、単品販売することにより対価を得ることができる。また、プリンタメーカーは、自社開発のプリンタへアクセスソフト添付し販売することにより、プリンタの売上げ増に伴う対価を得ることができる。また、チケット会社にとっては発券のための費用が削減できる為、その分の対価を得ることができる。更に、従来のようなチケット販売箇所を設置しなくて済むようになるので、その設備や人件費等の浮いた分を考慮してチケット代金を安くすることにより、ユーザは安くチケットを購入できる。また、ユーザは、インターネットに接続された端末とプリンタを利用して、チケットの注文、発券を可能にし、自宅に居ながらチケットを入手することができる。また、ユーザは、チケットを直ぐに購入しなくても予め個人ＩＤが記載されたラベルを送付してもらっておくことにより、開演間近のチケットでも容易に入手することができる。
【００６３】
【発明の効果】
以上説明したように、本発明によれば、チケット偽造を抑制しつつ、チケット発行およびチケット購入が容易且つ確実に行うことができる。
【図面の簡単な説明】
【図１】本発明のチケット発行システムの一構成例を示す図。
【図２】図１に示したチケット発行システムにおけるチケット発行の処理手順を示すフローチャート。
【図３】図２のＳ２０１の処理の様子を示すイメージ図。
【図４】図２のＳ１０３の処理の様子を示すイメージ図。
【図５】図２のＳ２０２の処理の様子を示すイメージ図。
【図６】図２のＳ１０５のＹＥＳ時の処理の様子を示すイメージ図。
【図７】図２のＳ２０３の処理の様子を示すイメージ図。
【図８】図２のＳ１０７の処理の様子を示すイメージ図。
【図９】図２のＳ３０１の処理の様子を示すイメージ図。
【図１０】図２のＳ３０１の処理の様子を示すイメージ図。
【図１１】図２のＳ１０５のＮＯ時の処理の様子を示すイメージ図。
【符号の説明】
１００…チケット発行システム、１…チケット購入者宅、２…インターネット、３…チケット発行管理会社、１１…通信端末、１２…印刷機、３１…通信端末、３２…印刷機、Ａ…個人ＩＤの偽造防止用ラベル、Ｂ…パスワード書類、Ｃ…イメージデータ、Ｄ…個人ラベル添付前の未完成チケット、Ｅ…予約状況データ、Ｆ…個人ラベル添付後の完成したチケット
【図１】
2004288033.tif 000003
【図２】
2004288033.tif 000004
【図３】
2004288033.tif 000005
【図４】
2004288033.tif 000006
【図５】
2004288033.tif 000007
【図６】
2004288033.tif 000008
【図７】
2004288033.tif 000009
【図８】
2004288033.tif 000010
【図９】
2004288033.tif 000011
【図１０】
2004288033.tif 000012
【図１１】
2004288033.tif 000013